(57)【要約】      （修正有）【課題】釣り場において、クロダイを狙いとし、其の釣り餌として使うカラス貝に釣り針を楽に差し込む為の下孔を軽い握力でスピーデーに開けられる用具を提供する。【解決手段】釣り場でクロダイを狙う釣りで使われるカラス貝Ａの釣り餌に釣り針用の下孔１を開ける為の、孔開け用具であって、グリップ部２、支点部３、挟み部４のペンチ工具式構成での挟み部４の一辺に内向きに先端シャープな孔開けピン５を固着し、カラス貝Ａ等の餌を挟み部４に挟んでワンタッチ操作で下孔１を開口可能な構成にする。また、前記する先端シャープな孔開けピン５を、グリップ部２、支点部３とで構成する該支点部３とグリップ部２の一片の間に内向きに固着し、対向する他の一辺に設けた受け台にカラス貝Ａの餌を乗せ、ワンタッチ操作で下孔１を開口可能な構成にしても良い。【選択図】図２
0003147664.tif 000002
【実用新案登録請求の範囲】
【請求項１】
釣り場でクロダイを狙う釣りで使われるカラス貝Ａ（又はイガイ）の釣り餌に、釣り針Ｂ用の下孔１を開ける為の、孔開け用具であって、グリップ部２、支点部３、挟み部４でなるペンチ工具式構成での挟み部４の一辺に内向きに先端シャープな孔開けピン５を固着し、カラス貝Ａの餌を挟み部４に挟んでワンタッチ操作で下孔１を開口可能にしたことを特徴とする、釣り餌孔開け具。
【請求項２】
前記する先端シャープな孔開けピン５を、グリップ部２、支点部３とで構成する該支点部３とグリップ部２の一辺の間に内向きに固着し、対向する他の一辺に設けた受け台６にカラス貝Ａの餌を乗せ、ワンタッチ操作で下孔１を開口可能にしたことを特徴とする請求項１記載の、釣り餌孔開け具。
【考案の詳細な説明】
【技術分野】
【０００１】  この考案は、釣り場でクロダイ釣りで、釣り餌として使うカラス貝に釣り針をしっかりと差し込む為の下孔を開けるに使う孔開け用具に関する。
【技術分野】
【０００２】  此の種の従来の技術として、釣り場でクロダイ釣りを狙いとする時、用意する釣り餌は、クロダイの好物であるカラス貝が最も身近に密集する防波堤で、容易に手軽に採集出来るからでもあるが、夏から秋にかけて防波堤付近のカラス貝を食いに集まるクロダイを狙うのに最適だからでもある。これらのクロダイの釣り餌となるカラス貝は、防波堤の壁面に密集して生息するカラス貝を生のまま釣り人は採集し、取り出したカラス貝の甲羅の端の合わせ目をめがけて先の尖った刃の付いたキリ状の目打ち具と称する用具を使い、思い切り硬い小さな貝身に刃先を差し込み貫通し、釣り針の差し込む為の下孔を開口するのが一般的で、或いは、カラス貝を片手で持ったまま、他の手で釣り針を摘んで直に甲羅の端の合わせ目に的を絞って、差し込む等の手作業で釣り針に餌を付けており、これと言って専用孔開け用具が無く、多くの釣り人は、古くから弱い力で正確に狙いの的にスピーディに下孔を開口出来る用具が要望されていた。
【考案の開示】
【考案が解決しようとする課題】
【０００３】  しかしながら、上記する従来技術の場合は、先の尖った刃の付いたキリ状の目打ち具は、繰り返して何回か使っているうちに海水の塩分で鉄製の刃先が錆びてしまう等の課題が残り，更には、小さなカラス貝の甲羅の合わせ目に刃先の的が決まらず孔開け失敗や、素手を怪我する等の危険が課題となるばかりか、カラス貝の端部の切れ易い的外れの貝身に下孔を開ける等で、水中に餌を投入後すぐに魚のアタリで釣り針から餌となるカラス貝が、ちぎ取られて終う等で、釣りの成果が上げるのに支障をきたす等の課題がある。【０００４】  そしてまた、小さなカラス貝を持ったまま釣り針を片手で直に突き差す作業では、丸型針の曲がり部のアゴが針付けに邪魔で差し難く手間がかかり、差し損ねや針先で指先をケガする等で、繰り返し作業に難がある等の課題が残る。
【課題を解決するための手段】
【０００５】  この考案は、かかる幾つかの課題を解決するために、請求項１での考案は、図１，図２で述べる様に、釣り場でクロガイを狙う釣りで使われるカラス貝Ａの釣り餌に釣り針Ｂ用の下孔１を開ける為の、孔開け用具であって、グリップ部２、支点部３、挟み部４のペンチ工具式構成での挟み部４の一辺に内向きに先端のシャープな孔開けピン５を固着し、これらの挟み部４にカラス貝Ａを挟んでワンタッチ操作で下孔１を開口可能にした構成とする。次ぎに又、請求項２での考案は、図３図４で述べる様に、前記する先端シャープな孔開けピン５を、グリップ部２、支点部３とで構成する支点部３と該グリップ部２の一片に内向きに固着し、対向する一辺に設けた受け台６にカラス貝Ａを乗せ、ワンタッで下孔１を開口可能にした構成とする。
【考案の効果】
【０００６】  本考案は、上述の通り構成作用するので、次の優れた効果を奏する。即ち、請求項１での効果は、安全且つ正確な狙いの的にスピーデーに釣り針用の下孔を開口出来る釣り餌孔開け具を提供出来、更に、請求項２での効果は、グリップ部をハサミ式に構成し、使用時の握り具合を安定させ、弱い握力て使える、専用用具としての効果を充分発揮が出来、携帯便利な餌孔開け具を提供出来る。
【考案を実施するための最良の形態】
【０００７】  以下に図示の実施例に基づいて本考案を更に詳細に説明する。即ち、図１は本考案での第一実施例に基づく全体を示す斜視図で、図２は同じく第一実施例での使用形態を示しての一部省略を示しての要部斜視図である。河口部は釣りの対象となる魚が多く、中でもイシモチ、シロギス等と並んで人気のある海水魚はクロダイで、主に内湾の砂泥底や砂地混じりの岩礁帯に棲み夏から秋にかけて防波堤付近に密集して生息するカラス貝を餌に其れを食いに寄ってくるが、釣り人はそのクロダイが餌取りに集まるタイミングをを狙いに防波堤で落とし込み釣りを行い釣果を上げるのに絶好とされる。【０００８】  このクロダイの釣りに使う手軽に自前で採集出来る餌は、２ｃｍ前後のカラス貝が主流で、釣り針付けはこれらのカラス貝の長手のどちらを上にしても良いが、針先を甲羅より程よい長さに飛び出して付け、クロダイのアタリ或いは、飲み込みで、口の針かかりを確実にするが、その釣り針を付ける為の下孔をカチカチ硬い、しめきった甲羅の上部の合わせ目を横通しに貫通させるが、弱い握力で狙いとする的に素早く下孔１を開けるのに使う専用具とするが、これらは、日頃日常的に使い慣れたペンチ工具相当（例えば、ニッパー、やっとこ等片手の指先操作で物を挟める用具）即ち、２本でなるグリップ部２とそれらの端部に近接して設けた支点部３とにし、２本でなるグリップ部２で、挟み部４が開閉可能に結合されて、其の端部は挟み部４として、小物を簡単に挟める構成で、弱い握力でグリップ部２を握り操作で使用するのに便利である。【０００９】  これらの工具で一般に知られるペンチ式でなる挟み部４に本考案での先端シャープに仕上げた刃先を持つ非鉄金属製の錆に濃い、硬い金属製のスパイク状の孔開けピン５を開閉自在でなる挟み部４の一辺に先端を内向きに固着した構成とするが、固着は溶接や埋め込み等で良く、固着した孔開けピン５の先端が挟み部４の開閉操作使用時に孔開けピン５の先端をつぶす事の無い様に挟み部４の先端に突状のガード部４ａを設ける事で、孔開けピン５先を保護すのに役立つ構成にすると便利である。【００１０】  更に又、カラス貝Ａを片手の指先で摘み、他方の手で握ったグリップ部２の握り操作で、挟み部４を開き、挟み部４に設けた孔開けピン５の真下に、カラス貝Ａの狙いとする的に持っていき、下孔１を開口するに、片手の軽い握力でグリップ部２を握る事で孔開けピン５がカラス貝Ａに差し込まれ貝身を貫通し下孔１が開口した後、再度グリップ部２の握り操作で挟み部４を開いて、孔開けピン５をカラス貝Ａから抜き取り、そのまま指先で摘んだカラス貝Ａの下孔１に釣り針Ｂを挿入し海中に落とし込みクロダイ釣を行う。【００１１】  次に、図３は本考案での第ニ実施例での全体を示す斜視図で、図４は同じく第ニ実施例での一部省略での要部での使用形態を示しての斜視図で、前記する先端シャープな刃先を持つ孔開けピン５は、紙きりハサミ式の指先の差し込んで握れる２本でなるグリップ部２とし、それらの双方の端部を重ね合わせ結合でなる支点部３を設け、双方が程よい固さで開閉可能な当該支点部３とグリップ部２間の一辺の一部に内向きに固着し、更に、対向する他の一辺には、カラス貝Ａを乗せる事の出来る手頃��受け台６を設けてなる、釣り餌孔開け具で、指先差し込み式のグリップ部２は、安定的に、用具の握り損ねることのない構成とする。【００１２】  このように、本実施例では、クロダイ釣りでの好物である餌となるカラス貝Ａを釣り針に差し込むのに、スピーデーに安全且つ取れ難い針付けを具現化する為の、カラス貝甲羅に下孔１を軽い握りで、ワンタッチ操作で出来、且つ、繰り返し半永久的使うに相応しい孔開け専用器具を述べたが、これらの用具は、他の魚で他の餌等に釣り針を差し込む為の下孔１開口として選択することもよいことで、カラス貝の下孔１開けを特定するものでないのは、当然のことである。
【図面の簡単な説明】
【００１３】
【図１】  本考案に係わる第一実施例での全体を示しての斜視図である。
【図２】  本考案に係わる第一実施例での使用についての一部省略での要部斜視図である。
【図３】  本考案に係わる第ニ実施例での全体を示しての斜視図である。
【図４】  本考案に係わる第ニ実施例での使用についての一部省略での要部斜視図である。
【図５】  本考案に係わる実施例での海中での実態説明図である。
【符合の説明】
【００１４】Ａ      カラス貝
Ｂ      釣り針
２      グリップ部
１      下孔
３      支点部
４      挟み部
４ａ    ガード部
５      孔開けピン
６      受け台
【図１】
0003147664.tif 000003
【図２】
0003147664.tif 000004
【図３】
0003147664.tif 000005
【図４】
0003147664.tif 000006
【図５】
0003147664.tif 000007